(57)【特許請求の範囲】
【請求項１】
固体撮像素子を支持体に取付角度を調整可能に取り付けるための取付構造であって、
上記固体撮像素子を有する取付板と、
上記支持体の上記取付板側の面に形成された複数のねじ孔と、
これらのねじ孔に、取付板側から順にそれぞれ形成した、径の大きい第１の雌ねじ及び径の小さい第２の雌ねじと、
上記取付板の支持面を有するとともに、上記ねじ孔の第１の雌ねじにそれぞれ螺合する雄ねじが形成された、筒状をなし回転調整可能である複数の調整部材と、
該調整部材に形成された、上記ねじ孔の外側に位置する回転調整用の歯車と、
上記取付板の上記支持体と反対側から、上記取付板を貫通して各調整部材の内部に回転自在に挿入されるとともに、上記第２の雌ねじに螺合して、上記各調整部材の支持面との間に上記取付板を挟着支持する複数の固定ねじと、
を備えることを特徴とする固体撮像素子の取付構造。
【請求項２】
請求項１記載の固体撮像素子の取付構造において、上記支持体に、上記歯車に螺合する歯車工具の先端部を回転自在に支持する位置決め孔を形成した固体撮像素子の取付構造。
【請求項３】
請求項１または２記載の固体撮像素子の取付構造において、上記支持体に、固体撮像素子の中心からの異なる放射方向に位置させて３個の上記ねじ孔を形成した固体撮像素子の取付構造。
【請求項４】
請求項１から３のいずれか１項記載の固体撮像素子の取付構造において、上記固定ねじの頭部と上記取付板との間に、上記頭部と取付板とを離間させる方向に付勢する弾性部材を挟んだ固体撮像素子の取付構造。
【請求項５】
請求項１から４のいずれか１項記載の固体撮像素子の取付構造において、上記支持体がデジタルカメラのレンズ鏡筒のハウジングである固体撮像素子の取付構造。
【発明の詳細な説明】
【０００１】
【技術分野】
本発明は、デジタルカメラのレンズ鏡筒のハウジング等の支持体に、ＣＣＤ等の固体撮像素子を取り付けるための取付構造に関する。
【０００２】
【従来技術及びその問題点】
デジタルカメラ等のレンズ鏡筒のハウジングにＣＣＤを取り付ける場合に、ＣＣＤのハウジングに対する取付角度が適正でないと、画像に倒れが生じてしまう。
このため、ＣＣＤに結像したチャート像を目視したり、あるいはＣＣＤに結像した画像をコンピュータにより処理して、ＣＣＤの最適な取付角度を決定してから、ＣＣＤをハウジングに固定する必要がある。
【０００３】
従来のＣＣＤのハウジングへの取付構造としては、ハウジングに固定された取付板にＣＣＤを固定ねじにより仮止めし、取付板とＣＣＤの間にスペーサを挿入してＣＣＤを最適な取付角度とした後に、固定ねじによりＣＣＤを取付板に固定するものや、ＣＣＤが固着された取付板とハウジングとの間に３個の圧縮ばねを挟み込み、取付板と各圧縮ばねを貫通する３個の固定ねじをハウジングの３個のねじ孔に螺合し、各固定ねじの締め付け量を調整することにより、ＣＣＤのハウジングに対する取付角度を調整可能としたものがある。
【０００４】
しかし、上記のようにスペーサを用いる取付構造では、ＣＣＤの取付角度を調整する際、一旦固定ねじを取り外した後に、スペーサを異なる厚さのスペーサと交換して、再度固定ねじを締め付ける必要があるので、調整作業が面倒である。
【０００５】
一方、ハウジングと取付板の間に圧縮ばねを挟む取付構造では、ハウジングと取付板の間に空間が存在するため、取付板をハウジング側に押すと、取付板が傾いてしまい、ＣＣＤの最適な取付角度を維持できないという問題がある。
【０００６】
【発明の目的】
本発明は、固体撮像素子の支持体に対する取付角度を、最適な角度となるように簡単に調整できるとともに、固体撮像素子が取り付けられている取付板に外力が掛かっても、最適な取付角度を維持することができる固体撮像素子の取付構造を得ることを目的とする。
【０００７】
【発明の概要】
本発明は、上記固体撮像素子を有する取付板と、上記支持体の上記取付板側の面に形成された複数のねじ孔と、これらのねじ孔に、取付板側から順にそれぞれ形成した、径の大きい第１の雌ねじ及び径の小さい第２の雌ねじと、上記取付板の支持面を有するとともに、上記ねじ孔の第１の雌ねじにそれぞれ螺合する雄ねじが形成された、筒状をなし回転調整可能である複数の調整部材と、該調整部材に形成された、上記ねじ孔の外側に位置する回転調整用の歯車と、上記取付板の上記支持体と反対側から、上記取付板を貫通して各調整部材の内部に回転自在に挿入されるとともに、上記第２の雌ねじに螺合して、上記各調整部材の支持面との間に上記取付板を挟着支持する複数の固定ねじと、を備えることを特徴としている。
【０００９】
上記支持体に、上記歯車に螺合する歯車工具の先端部を回転自在に支持する位置決め孔を形成するのが好ましい。
【００１０】
上記支持体に、固体撮像素子の中心からの異なる放射方向に位置させて３個の上記ねじ孔を形成するのが好ましい。
【００１１】
また、上記固定ねじの頭部と上記取付板との間に、上記頭部と取付板とを離間させる方向に付勢する弾性部材を挟むのが好ましい。
【００１２】
さらに、上記支持体をデジタルカメラのレンズ鏡筒のハウジングとすることができる。
【００１３】
【発明の実施の形態】
以下、本発明の一実施形態を添付図面を参照しながら説明する。
【００１４】
デジタルカメラ１にはレンズ鏡筒３が設けられており、レンズ鏡筒３のハウジング（支持体）５の後壁７には、正面視方形の開口部９が穿設されるとともに、開口部９の周囲３カ所に、後述するＣＣＤ３１の中心からの異なる放射方向に位置させて前向きのねじ孔１１が形成されている。
また、後壁７の各ねじ孔１１の近傍には、後述する歯車工具Ａの端部を挿入するための有底の位置決め孔７ａが形成されている。
【００１５】
図３に示すように、各ねじ孔１１は、大径部１３と大径部１３の前方に形成された小径部１５とからなり、小径部１５の底部は開口している。大径部１３の内周面には第１の雌ねじ１７が形成されており、小径部１５の内周面には第２の雌ねじ１９が形成されている。
【００１６】
大径部１３に挿脱可能な調整部材２１は、内部を挿入孔２３が貫通する円筒状のものであり、外周面の前端部には第１の雌ねじ１７と螺合する雄ねじ２５が形成されており、第１の雌ねじ１７と雄ねじ２５の螺合量を調整することにより、調整部材２１のねじ孔１１に対する前後位置を変化させることができる。調整部材２１の後端部外周には、後述する歯車工具Ａの歯部Ａ１と噛合可能な歯車２７が形成されている。
【００１７】
正面視略方形をなす取付板２９の前面にはＣＣＤ（固体撮像素子）３１が固着されており、ＣＣＤ３１は開口部９からハウジング５の内部に挿入されている。取付板２９の各ねじ孔１１と対向する箇所に穿設された貫通孔３３と、調整部材２１の挿入孔２３とを貫通する固定ねじ３５の前端部に形成された雄ねじ３７を、ねじ孔１１の第２の雌ねじ１９に螺合することにより、取付板２９が後壁７に固定されている。
固定ねじ３５の頭部３９と取付板２９の間には、スプリングワッシャ（弾性部材）４１が挟着されている。
【００１８】
次に、ＣＣＤ３１のハウジング５に対する取付角度の調整方法について説明する。
【００１９】
先ず、被写体（図示略）の像をＣＣＤ３１に結像させ、ＣＣＤ３１に結像した画像をコンピュータ（図示略）により処理して、ＣＣＤ３１の画像に倒れがないかを調べる。
【００２０】
ＣＣＤ３１の画像に倒れがなければＣＣＤ３１の取付角度の調整は不要である。
【００２１】
一方、ＣＣＤ３１の画像に倒れがあれば、固定ねじ３５を、スプリングワッシャ４１が固定ねじ３５と取付板２９の両者に当接する範囲内で緩めて、その後、位置決め孔７ａに図３に示す歯車工具Ａの端部を挿入して、歯車工具Ａの端部に形成した歯部Ａ１を調整部材２１の歯車２７に噛合させ、歯車工具Ａを回転させる。
【００２２】
歯車工具Ａを回転させると、歯車工具Ａと係合している調整部材２１が前後方向に移動し、取付板２９の調整部材２１の後面と接触している部分が、調整部材２１と同じ距離だけ前後方向に移動するので、取付板２９のハウジング５に対する取付角度が変化し、ＣＣＤ３１のハウジング５に対する取付角度が変化する。
【００２３】
このような要領で各調整部材２１の前後位置の調整を行い、ＣＣＤ３１の画像に倒れがなくなったら、固定ねじ３５を締め付けて、この状態で取付板２９をハウジング５に固定する。
【００２４】
このように本実施形態によれば、ＣＣＤ３１のハウジング５に対する取付角度を連続的に調整できるとともに、調整時に固定ねじ３５を取り外す必要がないので、取付角度の調整作業を簡単に行うことができる。
【００２５】
また、一旦固定ねじ３５を締め付ければ、取付板２９をハウジング５側に押してもＣＣＤ３１のハウジング５に対する取付角度は変化しないので、常に最適な取付角度を維持できる。
【００２６】
さらに、固定ねじ３５の頭部３９と取付板２９の間にスプリングワッシャ４１を挟んであるので、固定ねじ３５を締め付ければ、固定ねじ３５と取付板２９の間にガタが生じることはない。
【００２７】
なお、本実施形態はデジタルカメラ１のレンズ鏡筒３のハウジング５にＣＣＤ３１を取り付ける場合の取付構造であるが、ハウジング５以外の支持体にＣＣＤ３１等の固体撮像素子を取り付ける構造にも適用することができる。
【００２８】
【発明の効果】
本発明によれば、固体撮像素子の支持体に対する取付角度を、最適な角度となるように簡単に調整できるとともに、固体撮像素子が取り付けられている取付板に外力が掛かっても、最適な取付角度を維持することができる。
【図面の簡単な説明】
【図１】本発明の一実施形態の横断平面図である。
【図２】同じく、図１のII-II矢視方向から見たレンズ鏡筒の背面図である。
【図３】同じく、図２のIII-III線に沿う断面図である。
【符号の説明】
１      デジタルカメラ
３      レンズ鏡筒
５      ハウジング（支持体）
７      後壁
７ａ    位置決め孔
９      開口部
１１    ねじ孔
１３    大径部
１５    小径部
１７    第１の雌ねじ
１９    第２の雌ねじ
２１    調整部材
２３    挿入孔
２５    雄ねじ
２７    歯車
２９    取付板
３１    ＣＣＤ（固体撮像素子）
３３    貫通孔
３５    固定ねじ
３７    雄ねじ
３９    頭部
４１    スプリングワッシャ（弾性部材）
Ａ      歯車工具
Ａ１    歯部
【図１】
0003766618.tif 000002
【図２】
0003766618.tif 000003
【図３】
0003766618.tif 000004